(57)【要約】【課題】試験を途中で停止した後、停止時の状態から試験を再開する際、被試験装置が試験を途中で停止したときのものであるか否かを判断することができる試験装置を提供する。【解決手段】コンピュータ１００は、通信ケーブル１０２と、表示部１０４と、記録部１０６と、制御部１０７とを備え、制御部１０７は、通信ケーブル１０２によりコンピュータ１００と被試験装置１０１との通信の確立を行って、デバイスのＶｅｎｄｏｒ名、及びＰｒｏｄｕｃｔＩＤのデバイス識別情報を取得し、新規開始ボタン２０２が押下されたときは、制御部１０７は、Ｎに試験Ｎｏ．の１を設定し、制御部１０７は試験Ｎｏ．Ｎを実行し、停止ボタン２００が押下されたときは、制御部１０７は、試験１から試験Ｎまでの試験情報、及び被試験装置のデバイス識別情報を記録部１０６に記録し、本処理を終了する。【選択図】      図３
2004334700.tif 000002
【特許請求の範囲】
【請求項１】
被試験装置に接続され、前記被試験装置の試験を行う試験装置であって、前記被試験装置を識別するための識別情報を取得する取得手段と、前記被試験装置に対して複数の段階を有する試験を行う試験手段と、前記試験が中断するときに、前記複数の段階のうち前記中断以降の段階を実行するための中断情報、及び前記取得手段が取得した識別情報を記録する中断記録手段とを備えることを特徴とする試験装置。
【発明の詳細な説明】
【０００１】
【発明の属する技術分野】
本発明は、通信機能、ユーザインターフェイス機能、及び印刷機能を有する製品の試験装置に関し、特に試験を途中で停止することができる機能、及び途中で停止した後、停止時点の状態から試験を再開することができる機能を備えた試験装置に関する。
【０００２】
【従来の技術】
近年、通信機能、ユーザインターフェイス機能、及び印刷機能を有する製品（被試験装置）の試験装置は、コンピュータで構成され、これにより自動化した試験を行い、その試験情報を記録するようになっている（例えば、特許文献１参照）。
【０００３】
このようなコンピュータから成る試験装置は、ＵＳＢ等の通信ケーブルで接続された被試験装置に対して自動的に試験データを送信することはできるが、試験データに対する被試験装置のユーザインターフェイス、及び被試験装置から出力される印刷物を確認し、試験合否判定を行うことができないので、試験合否判定を人手で行っている。そのため、全ての試験が完了するまでには長い時間を必要とし、また、試験を行っている間、試験者は合否判定を行うために試験装置に拘束されることになるが、試験者を連続して長い時間拘束するには限界があるので、試験者によって試験を途中で停止することができる機能、及び途中で停止した後、停止時点の状態から試験を再開することができる機能を備えた試験装置が提案されている。
【０００４】
【特許文献１】
特開平０６−２１４８１７号公報
【０００５】
【発明が解決しようとする課題】
しかしながら、上記試験装置において、試験者によって試験を途中で停止した後、停止したところから再開する際、被試験装置は停止したときと同じものでなければならず、一人の試験者が複数の被試験装置を評価していると、再開するとき、どの被試験装置を評価していたかわからなくなる可能性がある。この場合、試験者が意図せず、試験の途中までが一の被試験装置の結果、途中から他の被試験装置の結果という試験情報が記録されてしまう可能性があり、試験情報の記録の信頼性が損なわれる。
【０００６】
また、試験者が意図して、一の被試験装置において一連の試験の中のある試験に合格することができないときに、その試験を他の被試験装置で合格させてしまうということも考えられ、これでは、試験の安全性が損なわれるので、試験を再開する際、試験装置が被試験装置を識別する必要がある。
【０００７】
本発明は、上記課題に鑑みてなされたものであり、試験を途中で停止した後、停止時の状態から試験を再開する際、被試験装置が試験を途中で停止したときのものであるか否かを判断することができる試験装置を提供することを目的とする。
【０００８】
【課題を解決するための手段】
上述の目的を達成するために、請求項１記載の試験装置は、被試験装置に接続され、前記被試験装置の試験を行う試験装置であって、前記被試験装置を識別するための識別情報を取得する取得手段と、前記被試験装置に対して複数の段階を有する試験を行う試験手段と、前記試験が中断するときに、前記複数の段階のうち前記中断以降の段階を実行するための中断情報、及び前記取得手段が取得した識別情報を記録する中断記録手段とを備えることを特徴とする。
【０００９】
【発明の実施の形態】
以下、本発明の実施の形態を図面を参照しながら説明する。
【００１０】
図１は、本発明の実施の形態に係る試験装置の内部構成を示すブロック図である。
【００１１】
図１において、本発明の実施の形態に係る試験装置としてのコンピュータ１００は、通信部１０３と、試験情報、停止動作を実行するためのメニュー、及び再開動作を実行するためのメニューを表示する表示部１０４（図２）と、表示部１０４に表示された上記メニューを試験者が操作指示するキー操作部１０５と、キー操作部１０５により試験を再開する際に用いる停止までの試験情報、及び被試験装置の情報を記録する記録部１０６と、キー操作部１０５により試験を停止する停止制御、それに伴う停止までの試験情報及び被試験装置の識別情報の記録制御、試験を再開する再開制御、並びにそれに伴う被試験装置が途中で停止したときと同じものであるか否かの判断、及び試験再開の可否の判断を行う制御部１０７とを備える。
【００１２】
通信部１０３は、通信ケーブル１０２を介して被試験装置１０１に接続され、コンピュータ１００と被試験装置１０１との接続の確立を行う。
【００１３】
制御部１０７は、本発明をコンピュータ１００が実行するためのプログラムを格納する不図示のメモリと、このプログラムを読込んで実行することで、本発明で示される実施の形態をコンピュータが実施可能に制御する不図示のＣＰＵとを備える。
【００１４】
これにより、制御部１０７は、下記に示すように複数段階の試験を被試験装置１０１に対して実行したり、その試験結果を記録部１０６に記録したり、中断情報を記録部１０６に記録したり、暗号化された情報をコンピュータ１００内に保持したり、中断情報を被試験装置１０１に記録したり、通信部１０３を制御して被試験装置１０１の識別情報を取得したり、再開に伴う制御を司ったりするための手段となる。
【００１５】
図２は、図１の表示部１０４を示す図である。
【００１６】
図２において、表示部１０４は、試験の停止動作及び再開動作を実行するためのメニューを表示する。停止ボタン２００は、試験を停止するために停止動作を実行する際に押下されるボタンから成る。停止ボタン２００が押下されると、制御部１０７は試験を停止し、接続されている被試験装置の停止までの試験情報、及び被試験装置の識別情報を記録部１０６へ記録する。
【００１７】
再開ボタン２０１は、試験を再開するために再開動作を実行する際に押下されるボタンから成る。再開ボタン２０１が押下されると、制御部１０７は通信部１０３を介して、接続された被試験装置の識別情報を取得し、取得した識別情報と停止の際に記録部１０６に記録された識別情報とが一致するか否かを後述する処理により判断し、正しい場合に、記録を読み出して試験を再開する。
【００１８】
図３は、図１のコンピュータ１００によって実行される第１の試験停止処理のフローチャートである。
【００１９】
図３において、制御部１０７は、図１に示すように、通信ケーブル１０２によりコンピュータ１００と被試験装置１０１とが接続されたことを検知すると、通信部１０３を介して、これら機器間での通信の確立を行って、通信が確立した状態になるために互いのデバイスのＶｅｎｄｏｒ名、及びＰｒｏｄｕｃｔＩＤのデバイス識別情報を取得し（ステップＳ１）、制御部１０７は、試験の停止動作を実行するためのメニューと、試験の新規開始動作を実行するためのメニューとを表示部１０４に表示する（ステップＳ２）。
【００２０】
次いで、制御部１０７は、表示部１０４に表示されているメニュー上で新規開始ボタン２０２が押下されたか否かを判別し（ステップＳ３）、新規開始ボタン２０２が押下されたときは、制御部１０７は、Ｎに試験Ｎｏ．の１を設定する（ステップＳ４）。試験はＮｏ．１からＮｏ．ｎ（任意の数）まで設定されている。次いで、制御部１０７は試験Ｎｏ．Ｎを実行し（ステップＳ５）（試験手段）、表示部１０４に表示されているメニュー上で停止ボタン２００が押下されたか否かを判別する（ステップＳ６）。
【００２１】
ステップＳ６の判別の結果、停止ボタン２００が押下されていないときは、全ての試験（ｎ）が完了した（Ｎ＞ｎ）か否かを判別し（ステップＳ７）、全ての試験が完了したときは（Ｎ＞ｎ）、本処理を終了し、全ての試験が完了していないときは（Ｎ＜ｎ）、Ｎに１を加算して、ステップＳ５以降の処理を繰り返す。
【００２２】
ステップＳ６の判別の結果、停止ボタン２００が押下されたときは、制御部１０７は、試験１から試験Ｎまでの試験情報、及びステップＳ１で取得した被試験装置の識別情報を記録部１０６に記録し（ステップＳ８）（取得手段）（中断記録手段）、本処理を終了する。
【００２３】
図４は、図１のコンピュータ１００によって実行される第１の試験再開処理のフローチャートである。
【００２４】
図４において、制御部１０７は、図１に示すように、通信ケーブル１０２によりコンピュータ１００と被試験装置１０１とが接続されたことを検知すると、通信部１０３を介して、これら機器間での通信の確立を行って、通信が確立した状態になるために互いのデバイスのＶｅｎｄｏｒ名、及びＰｒｏｄｕｃｔＩＤのデバイス識別情報を取得する（ステップＳ１０）。次いで、制御部１０７は、試験の新規開始動作を実行するためのメニューと、試験の再開動作を実行するためのメニューとを表示部１０４に表示し（ステップＳ１１）、制御部１０７は、表示部１０４に表示されているメニュー上で新規開始ボタン２０２が押下されたか否かを判別する（ステップＳ１２）。
【００２５】
ステップＳ１２の判別の結果、新規開始ボタン２０２が押下されていないときは、制御部１０７は、表示部１０４に表示されているメニュー上で再開ボタン２０１が押下されたか否かを判別し（ステップＳ１３）、再開ボタン２０１が押下されていないときは、ステップＳ１２に戻り、一方、再開ボタン２０１が押下されたときは、制御部１０７は、記録部１０６に記録されている記録からデバイス情報を検索により取得する（ステップＳ１４）。次いで、ステップＳ１４で取得したデバイス情報のＶｅｎｄｏｒ名と、ステップＳ１０で取得したＶｅｎｄｏｒ名情報とが一致するか否かを判別し（ステップＳ１５）、次いで、ステップＳ１４で取得したデバイス情報のＰｒｏｄｕｃｔ名と、ステップＳ１０で取得したＰｒｏｄｕｃｔ名情報とが一致するか否かを判別する（ステップＳ１６）。
【００２６】
ステップＳ１５及びＳ１６の各判別の結果、ステップＳ１４で取得したデバイス情報のＶｅｎｄｏｒ名と、ステップＳ１０で取得したＶｅｎｄｏｒ名情報とが一致し、且つステップＳ１４で取得したデバイス情報のＰｒｏｄｕｃｔ名と、ステップＳ１０で取得したＰｒｏｄｕｃｔ名情報とが一致したときは、制御部１０７は、記録部１０６の記録に基づいてＮに値を設定して、設定された試験Ｎから試験を再開して（ステップＳ１７）、試験Ｎｏ．Ｎを実行し（ステップＳ２０）、全ての試験（ｎ）が完了した（Ｎ＞ｎ）か否かを判別し（ステップＳ２０Ａ）、全ての試験が完了していないときは（Ｎ＜ｎ）、Ｎに１を加算して、ステップＳ２０以降の処理を繰り返し、全ての試験が完了したときは（Ｎ＞ｎ）、本処理を終了する。
【００２７】
ステップＳ１５及びＳ１６の各判別の結果、ステップＳ１４で取得したデバイス情報のＶｅｎｄｏｒ名と、ステップＳ１０で取得したＶｅｎｄｏｒ名情報とが一致しないか（ステップＳ１５でＮＯ）、又はステップＳ１４で取得したデバイス情報のＰｒｏｄｕｃｔ名と、ステップＳ１０で取得したＰｒｏｄｕｃｔ名情報とが一致しなかったときは（ステップＳ１６でＮＯ）、制御部１０７は、試験を再開しないよう制御を行い（ステップＳ１８）、本処理を終了する。
【００２８】
ステップＳ１２の判別の結果、新規開始ボタン２０２が押下されたときは、制御部１０７は、Ｎに試験Ｎｏ．の１を設定する（ステップＳ１９）。試験はＮｏ．１からＮｏ．ｎ（任意の数）まで設定されている。次いで、ステップＳ２０以降の処理を実行し、本処理を終了する。
【００２９】
本実施の形態では、記録されたＶｅｎｄｏｒ名、及びＰｒｏｄｕｃｔ名と被試験装置のＶｅｎｄｏｒ名、及びＰｒｏｄｕｃｔ名とが一致しなかったときは、試験を再開しないように制御したが、Ｖｅｎｄｏｒ名、及びＰｒｏｄｕｃｔ名に限定する必要はなく、被試験装置のＣａｐａｂｉｌｉｔｙ情報、ＵＳＢプロダクトＩＤ等、被試験装置を特定できるものであればよい。
【００３０】
図５は、図１のコンピュータ１００によって実行される第２の試験停止処理のフローチャートである。
【００３１】
図５において、制御部１０７は、図１に示すように、通信ケーブル１０２によりコンピュータ１００と被試験装置１０１とが接続されたことを検知すると、通信部１０３を介して、これら機器間での通信の確立を行い（ステップＳ２１）、制御部１０７は、試験の停止動作を実行するためのメニューと、試験の新規開始動作を実行するためのメニューとを表示部１０４に表示する（ステップＳ２２）。
【００３２】
次いで、制御部１０７は、表示部１０４に表示されているメニュー上で新規開始ボタン２０２が押下されたか否かを判別し（ステップＳ２３）、新規開始ボタン２０２が押下されたときは、制御部１０７は、Ｎに試験Ｎｏ．の１を設定する（ステップＳ２４）。試験はＮｏ．１からＮｏ．ｎ（任意の数）まで設定されている。次いで、制御部１０７は試験Ｎｏ．Ｎを実行し（ステップＳ２５）、表示部１０４に表示されているメニュー上で停止ボタン２００が押下されたか否かを判別する（ステップＳ２６）。
【００３３】
ステップＳ２６の判別の結果、停止ボタン２００が押下されていないときは、全ての試験（ｎ）が完了した（Ｎ＞ｎ）か否かを判別し（ステップＳ２７）、全ての試験が完了したときは（Ｎ＞ｎ）、本処理を終了し、全ての試験が完了していないときは（Ｎ＜ｎ）、Ｎに１を加算して、ステップＳ５以降の処理を繰り返す。
【００３４】
ステップＳ２６の判別の結果、停止ボタン２００が押下されたときは、制御部１０７は、試験１から試験Ｎまでの試験情報、及び試験の複数段階のうちその中断以降の段階を実行するための中断情報を記録部１０６に記録し、被試験装置に対する暗号情報を記録部１０６及び被試験装置に夫々記録し（ステップＳ２８）、本処理を終了する。
【００３５】
この暗号情報は、途中まで終了した試験情報や中断情報と、その試験の対象となった被試験装置とを対応付けるためのものである。具体的には、生成された試験情報や中断情報からハッシュ関数等を用いて算出されたハッシュ値や、その他の何らかの暗号情報等が利用できる。試験を再開するときに、暗号情報が記録されている被試験装置に対して、その被試験装置への試験により生成された試験情報や中断情報を用いることを保証することができる。
【００３６】
図６は、図１のコンピュータ１００によって実行される第２の試験再開処理のフローチャートである。
【００３７】
図６において、制御部１０７は、図１に示すように、通信ケーブル１０２によりコンピュータ１００と被試験装置１０１とが接続されたことを検知すると、通信部１０３を介して、これら機器間での通信の確立を行い（ステップＳ３０）、制御部１０７は、試験の新規開始動作を実行するためのメニューと、試験の再開動作を実行するためのメニューとを表示部１０４に表示し（ステップＳ３１）、制御部１０７は、表示部１０４に表示されているメニュー上で新規開始ボタン２０２が押下されたか否かを判別する（ステップＳ３２）。
【００３８】
ステップＳ３２の判別の結果、新規開始ボタン２０２が押下されていないときは、制御部１０７は、表示部１０４に表示されているメニュー上で再開ボタン２０１が押下されたか否かを判別し（ステップＳ３３）、再開ボタン２０１が押下されていないときは、ステップＳ３２に戻り、一方、再開ボタン２０１が押下されたときは、制御部１０７は、記録部１０６に記録されている記録から第１の暗号情報を検索により取得し、ステップＳ２８において被試験装置１０１に記録した第２の暗号情報を取得する（ステップＳ３４）。次いで、制御部１０７は、第１の暗号情報と第２の暗号情報が一致したか否かを判別する（ステップＳ３５）。
【００３９】
ステップＳ３５の判別の結果、第１の暗号情報と第２の暗号情報が一致したときは、制御部１０７は、記録部１０６の記録に基づいてＮに値を設定して、設定された試験Ｎから試験を再開して（ステップＳ３６）、試験Ｎｏ．Ｎを実行し（ステップＳ３９）、全ての試験（ｎ）が完了した（Ｎ＞ｎ）か否かを判別し（ステップＳ４０）、全ての試験が完了していないときは（Ｎ＜ｎ）、Ｎに１を加算して、ステップＳ３９以降の処理を繰り返し、全ての試験が完了したときは（Ｎ＞ｎ）、本処理を終了する。
【００４０】
ステップＳ３５の判別の結果、第１の暗号情報と第２の暗号情報が一致しなかったときは、制御部１０７は、試験を再開しないよう制御を行い（ステップＳ３７）、本処理を終了する。
【００４１】
ステップＳ３２の判別の結果、新規開始ボタン２０２が押下されたときは、制御部１０７は、Ｎに試験Ｎｏ．の１を設定する（ステップＳ３８）。試験はＮｏ．１からＮｏ．ｎ（任意の数）まで設定されている。次いで、ステップＳ３９以降の処理を実行して、本処理を終了する。
【００４２】
図７は、図１のコンピュータ１００によって実行される第３の試験停止処理のフローチャートである。
【００４３】
上記第１、及び第２の試験停止処理においては、複数の試験が完了又は中断する度に、試験情報を記録している１つのファイルにアクセスしていた。つまり、試験情報を記録しているファイルには、複数の試験の情報が記録されている。これに対して、第３の試験停止処理においては、試験ごとにファイルを生成して記録しておき、後からそれらのファイルの情報を合成して、１つの試験情報ファイルを生成するものである。
【００４４】
図７において、制御部１０７は、図１に示すように、通信ケーブル１０２によりコンピュータ１００と被試験装置１０１とが接続されたことを検知すると、通信部１０３を介して、これら機器間での通信の確立を行って、通信が確立した状態になるために互いのデバイスのＶｅｎｄｏｒ名、及びＰｒｏｄｕｃｔＩＤのデバイス識別情報を取得し（ステップＳ５１）、制御部１０７は、Ｎｏ．１からＮｏ．ｎまでの試験メニューと、試験の新規開始動作を実行するためのメニューとを表示部１０４に表示する（ステップＳ５２）。
【００４５】
次いで、制御部１０７は、表示部１０４に表示されているメニュー上で新規開始ボタン２０２が押下されたか否かを判別し（ステップＳ５３）、新規開始ボタン２０２が押下されたときは、制御部１０７は、キー操作部からの操作指示を介して、Ｎに試験Ｎｏ．を設定する（ステップＳ５４）。試験はＮｏ．１からＮｏ．ｎ（任意の数）まで設定される。次いで、制御部１０７は、試験Ｎｏ．Ｎを実行し（ステップＳ５５）、試験Ｎが中断したか否かを判別する（ステップＳ５９）。
【００４６】
ステップＳ５９の判別の結果、試験Ｎが中断することなく正常に終了したときは、試験Ｎの試験情報、及びステップＳ１で取得した被試験装置の識別情報を含むファイルＮを記録部１０６に記録し（ステップＳ５６）、全ての試験（ｎ）が完了した（Ｎ＞ｎ）か否かを判別し（ステップＳ５７）、全ての試験が完了していないときは（Ｎ＜ｎ）、本処理を終了し、全ての試験が完了したときは（Ｎ＞ｎ）、制御部１０７は、記録部１０６に記録されたＮ個のファイルをデバイスの識別情報に基づき１つのファイルにマージし（ステップＳ５８）、本処理を終了する。
【００４７】
ステップＳ５９の判別の結果、試験Ｎが中断したときは、終了している試験について、試験情報を記録している複数のファイルの情報をマージして、１つの試験情報を生成すると共に、試験情報及び、試験の複数段階のうちの、その中断以降の段階を実行するための中断情報を記録部１０６に記録し、被試験装置に対する暗号情報を記録部１０６及び被試験装置に夫々記録し（ステップＳ６０）、本処理を終了する。
【００４８】
この暗号情報は、途中まで終了した試験情報と、その試験の対象となった被試験装置とを対応付けるためのものである。具体的には、生成された試験情報からハッシュ関数等を用いて算出されたハッシュ値や、その他の何らかの暗号情報等が利用できる。試験を再開するときに、暗号情報が記録されている被試験装置に対して、その被試験装置への試験により生成された試験情報や中断情報を用いることを保証することができる。さらに、本試験情報を参照することによって、再開時には終了した試験の続きから再開することができる。
【００４９】
尚、試験の再開処理は、図６のステップＳ３３〜Ｓ３６を実行してステップＳ５５へ進む等すればよい。
【００５０】
本発明は、複数の機器（例えば、ホストコンピュータ、インタフェース機器、リーダ、プリンタ等）から構成されるシステムに適用しても、又は一つの機器（たとえば複写機、ファクシミリ装置）からなる装置に適用してもよい。
【００５１】
また、前述した実施の形態の機能を実現する様に各種のデバイスを動作させる様に該各種デバイスと接続された装置或いはシステム内のコンピュータに、前記実施の形態の機能を実現するためのソフトウエアのプログラムコードを供給し、そのシステム或いは装置のコンピュータ（ＣＰＵ又はＭＰＵ）を格納されたプログラムに従って、前記各種デバイスを動作させることによって実施したものも、本発明の範疇に含まれる。
【００５２】
また、この場合、前記ソフトウエアのプログラムコード自体が前述した実施の形態の機能を実現することになり、そのプログラムコード自体、及びそのプログラムコードをコンピュータに供給するための手段、例えばかかるプログラムコードを格納した記憶媒体は本発明を構成する。
【００５３】
かかるプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００５４】
また、コンピュータが、供給されたプログラムコードを実行することにより、前述の実施の形態の機能が実現されるだけではなく、そのプログラムコードが、コンピュータにおいて稼働しているＯＳ（オペレーティングシステム）、或いは他のアプリケーションソフト等と共同して前述の実施の形態の機能が実現される場合にも、上記プログラムコードは本発明の実施の形態に含まれることは言うまでもない。
【００５５】
さらに、供給されたプログラムコードが、コンピュータの機能拡張ボードやコンピュータに接続された機能拡張ユニットに備わるメモリに格納された後、そのプログラムコードの指示に基づいて、その機能拡張ボードや機能格納ユニットに備わるＣＰＵ等が実際の処理の一部又は全部を行い、その処理によって前述した実施の形態の機能が実現される場合も、本発明に含まれることは言うまでもない。
【００５６】
本発明の実施態様を以下に列記する。
【００５７】
〔実施態様１〕  被試験装置に接続され、前記被試験装置の試験を行う試験装置であって、前記被試験装置を識別するための識別情報を取得する取得手段と、前記被試験装置に対して複数の段階を有する試験を行う試験手段と、前記試験が中断するときに、前記複数の段階のうち前記中断以降の段階を実行するための中断情報、及び前記取得手段が取得した識別情報を記録する中断記録手段とを備えることを特徴とする試験装置。
【００５８】
〔実施態様２〕  前記中断記録手段（Ｓ８）は、暗号情報を前記試験装置と前記被試験装置に夫々記録することを特徴とする実施態様１記載の試験装置。
【００５９】
〔実施態様３〕  前記中断した試験の再開を行うときに、前記被試験装置の識別情報を取得する第２取得手段と、前記中断記録手段により記録されている識別情報と前記第２取得手段により取得された識別情報とが一致するかを判別する判別手段（Ｓ１５〜Ｓ１６）と、前記中断記録手段により記録されている識別情報と前記第２取得手段により取得された識別情報とが一致したときに、前記中断情報に基づいて試験を再開する再開手段（Ｓ１７）とを備えることを特徴とする実施態様１又は２記載の試験装置。
【００６０】
この実施態様により、試験を途中で停止した後、停止時の状態から試験を再開する際、被試験装置が試験を途中で停止したときのものであるか否かを確実に判断することができる。
【００６１】
〔実施態様４〕  前記試験装置に記録された前記暗号情報と、前記被試験装置に記録された前記暗号情報とに基づいて、前記中断した試験の再開の可否を判別する第２判別手段（Ｓ３５）を備えることを特徴とする実施態様２記載の試験装置。
【００６２】
〔実施態様５〕  前記複数の段階の１つにおける試験が終了したときに、当該試験の結果を記録する結果記録手段（Ｓ５６）を備えることを特徴とする実施態様１乃至４のいずれか１項に記載の試験装置。
【００６３】
〔実施態様６〕  被試験装置に接続され、前記被試験装置の試験を行う試験装置の制御方法であって、前記被試験装置を識別するための識別情報を取得する取得ステップ（Ｓ８）と、前記被試験装置に対して複数の段階を有する試験を行う試験ステップ（Ｓ５）と、前記試験が中断するときに、前記複数の段階のうち前記中断以降の段階を実行するための中断情報、及び前記取得ステップが取得した識別情報を記録する中断記録ステップ（Ｓ８）とを備えることを特徴とする試験装置の制御方法。
【００６４】
〔実施態様７〕  前記中断記録ステップは、暗号化された情報を前記試験装置と前記被試験装置に夫々記録することを特徴とする実施態様６記載の試験装置の制御方法。
【００６５】
〔実施態様８〕  前記中断した試験の再開を行うときに、前記被試験装置の識別情報を取得する第２取得ステップと、前記中断記録ステップにより記録されている識別情報と、前記第２取得ステップにより取得された識別情報とが一致するかを判別する判別ステップと、前記中断記録ステップにより記録されている識別情報と、前記第２取得ステップにより取得された識別情報とが一致したときに、前記中断情報に基づいて試験を再開する再開ステップとを備えることを特徴とする実施態様６又は７記載の試験制御方法。
【００６６】
〔実施態様９〕  前記試験装置に記録された前記暗号化された情報と、前記被試験装置に記録された前記暗号化された情報とに基づいて、前記中断した試験の再開の可否を判別する第２判別ステップを備えることを特徴とする実施態様７記載の試験制御方法。
【００６７】
〔実施態様１０〕  前記複数の段階の１つにおける試験が終了したときに、当該試験の結果を記録する結果記録ステップを備えることを特徴とする実施態様１乃至４のいずれか１項に記載の試験制御方法。
【００６８】
〔実施態様１１〕  被試験装置に接続され、前記被試験装置の試験を行う試験方法をコンピュータに実行させるプログラムであって、前記被試験装置を識別するための識別情報を取得する取得モジュールと、前記被試験装置に対して複数の段階を有する試験を行う試験モジュールと、前記試験が中断するときに、前記複数の段階のうち前記中断以降の段階を実行するための中断情報及び前記取得モジュールが取得した識別情報を記録する中断記録モジュールとを備えることを特徴とするプログラム。
【００６９】
〔実施態様１２〕  実施態様１１記載のプログラムを格納することを特徴とするコンピュータ読取り可能な記憶媒体。
【００７０】
【発明の効果】
以上詳細に説明したように、請求項１記載の試験装置によれば、試験が中断するときに、被試験装置を識別するための識別情報、及び前記複数の段階のうち前記中断以降の段階を実行するための中断情報を記録するので、試験を途中で停止した後、停止時の状態から試験を再開する際、被試験装置が試験を途中で停止したときのものであるか否かを判断することができる。
【図面の簡単な説明】
【図１】本発明の実施の形態に係る試験装置の内部構成を示すブロック図である。
【図２】図１の表示部１０４を示す図である。
【図３】図１のコンピュータ１００によって実行される第１の試験停止処理のフローチャートである。
【図４】図１のコンピュータ１００によって実行される第１の試験再開処理のフローチャートである。
【図５】図１のコンピュータ１００によって実行される第２の試験停止処理のフローチャートである。
【図６】図１のコンピュータ１００によって実行される第２の試験再開処理のフローチャートである。
【図７】図１のコンピュータ１００によって実行される第３の試験停止処理のフローチャートである。
【符号の説明】
１００    コンピュータ本体
１０１    被試験装置
１０２    通信ケーブル
１０３    通信部
１０４    表示部
１０５    キー操作部
１０６    記録部
１０７    制御部
【図１】
2004334700.tif 000003
【図２】
2004334700.tif 000004
【図３】
2004334700.tif 000005
【図４】
2004334700.tif 000006
【図５】
2004334700.tif 000007
【図６】
2004334700.tif 000008
【図７】
2004334700.tif 000009
【手続補正書】
【提出日】平成16年6月14日(2004.6.14)
【手続補正２】
【補正対象書類名】明細書
【補正対象項目名】特許請求の範囲
【補正方法】変更
【補正の内容】
【特許請求の範囲】
【請求項１】
被試験装置に接続され、前記被試験装置の試験を行う試験装置であって、前記被試験装置を識別するための識別情報を取得する取得手段と、前記被試験装置に対して複数の段階を有する試験を行う試験手段と、前記試験が中断するときに、前記複数の段階のうち前記中断以降の段階を実行するための中断情報、及び前記取得手段が取得した識別情報を記録する中断記録手段とを備えることを特徴とする試験装置。
【請求項２】
前記中断記録手段は、暗号情報を前記試験装置と前記被試験装置に夫々記録することを特徴とする請求項１記載の試験装置。
【請求項３】
前記中断した試験の再開を行うときに、前記被試験装置の識別情報を取得する第２取得手段と、前記中断記録手段により記録されている識別情報と前記第２取得手段により取得された識別情報とが一致するかを判別する判別手段と、前記中断記録手段により記録されている識別情報と前記第２取得手段により取得された識別情報とが一致したときに、前記中断情報に基づいて試験を再開する再開手段とを備えることを特徴とする請求項１又は２記載の試験装置。
【請求項４】
前記試験装置に記録された前記暗号情報と、前記被試験装置に記録された前記暗号情報とに基づいて、前記中断した試験の再開の可否を判別する第２判別手段を備えることを特徴とする請求項２記載の試験装置。
【請求項５】
前記複数の段階の１つにおける試験が終了したときに、当該試験の結果を記録する結果記録手段を備えることを特徴とする請求項１乃至４のいずれか１項に記載の試験装置。
【請求項６】
被試験装置に接続され、前記被試験装置の試験を行う試験装置の制御方法であって、前記被試験装置を識別するための識別情報を取得する取得ステップと、前記被試験装置に対して複数の段階を有する試験を行う試験ステップと、前記試験が中断するときに、前記複数の段階のうち前記中断以降の段階を実行するための中断情報、及び前記取得ステップが取得した識別情報を記録する中断記録ステップとを備えることを特徴とする試験装置の制御方法。
【請求項７】
前記中断記録ステップは、暗号化された情報を前記試験装置と前記被試験装置に夫々記録することを特徴とする請求項６記載の試験装置の制御方法。
【請求項８】
前記中断した試験の再開を行うときに、前記被試験装置の識別情報を取得する第２取得ステップと、前記中断記録ステップにより記録されている識別情報と、前記第２取得ステップにより取得された識別情報とが一致するかを判別する判別ステップと、前記中断記録ステップにより記録されている識別情報と、前記第２取得ステップにより取得された識別情報とが一致したときに、前記中断情報に基づいて試験を再開する再開ステップとを備えることを特徴とする請求項６又は７記載の試験装置の制御方法。
【請求項９】
前記試験装置に記録された前記暗号化された情報と、前記被試験装置に記録された前記暗号化された情報とに基づいて、前記中断した試験の再開の可否を判別する第２判別ステップを備えることを特徴とする請求項７記載の試験装置の制御方法。
【請求項１０】
前記複数の段階の１つにおける試験が終了したときに、当該試験の結果を記録する結果記録ステップを備えることを特徴とする請求項６乃至９のいずれか１項に記載の試験装置の制御方法。
【請求項１１】
被試験装置に接続され、前記被試験装置の試験を行う試験装置の制御方法をコンピュータに実行させるプログラムであって、前記被試験装置を識別するための識別情報を取得する取得モジュールと、前記被試験装置に対して複数の段階を有する試験を行う試験モジュールと、前記試験が中断するときに、前記複数の段階のうち前記中断以降の段階を実行するための中断情報及び前記取得モジュールが取得した識別情報を記録する中断記録モジュールとを備えることを特徴とするプログラム。
【請求項１２】
請求項１１記載のプログラムを格納することを特徴とするコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、通信機能、ユーザインターフェイス機能、及び印刷機能を有する製品の試験装置及びその制御方法、並びにプログラム及び記憶媒体に関し、特に試験を途中で停止することができる機能、及び途中で停止した後、停止時点の状態から試験を再開することができる機能を備えた試験装置及びその制御方法、並びにプログラム及び記憶媒体に関する。


【手続補正４】
【補正対象書類名】明細書
【補正対象項目名】０００７
【補正方法】変更
【補正の内容】
【０００７】
本発明は、上記課題に鑑みてなされたものであり、試験を途中で停止した後、停止時の状態から試験を再開する際、被試験装置が試験を途中で停止したときのものであるか否かを判断することができる試験装置及びその制御方法、並びにプログラム及び記憶媒体を提供することを目的とする。


【手続補正５】
【補正対象書類名】明細書
【補正対象項目名】０００８
【補正方法】変更
【補正の内容】
【０００８】
【課題を解決するための手段】
上述の目的を達成するために、請求項１記載の試験装置は、被試験装置に接続され、前記被試験装置の試験を行う試験装置であって、前記被試験装置を識別するための識別情報を取得する取得手段と、前記被試験装置に対して複数の段階を有する試験を行う試験手段と、前記試験が中断するときに、前記複数の段階のうち前記中断以降の段階を実行するための中断情報、及び前記取得手段が取得した識別情報を記録する中断記録手段とを備えることを特徴とする。
請求項２記載の試験装置は、請求項１記載の試験装置において、前記中断記録手段（Ｓ８）は、暗号情報を前記試験装置と前記被試験装置に夫々記録することを特徴とする。
請求項３記載の試験装置は、請求項１又は２記載の試験装置において、前記中断した試験の再開を行うときに、前記被試験装置の識別情報を取得する第２取得手段と、前記中断記録手段により記録されている識別情報と前記第２取得手段により取得された識別情報とが一致するかを判別する判別手段（Ｓ１５〜Ｓ１６）と、前記中断記録手段により記録されている識別情報と前記第２取得手段により取得された識別情報とが一致したときに、前記中断情報に基づいて試験を再開する再開手段（Ｓ１７）とを備えることを特徴とする。
請求項４記載の試験装置は、請求項２記載の試験装置において、前記試験装置に記録された前記暗号情報と、前記被試験装置に記録された前記暗号情報とに基づいて、前記中断した試験の再開の可否を判別する第２判別手段（Ｓ３５）を備えることを特徴とする。
請求項５記載の試験装置は、請求項１乃至４のいずれか１項に記載の試験装置において、前記複数の段階の１つにおける試験が終了したときに、当該試験の結果を記録する結果記録手段（Ｓ５６）を備えることを特徴とする。
上述の目的を達成するために、請求項６記載の試験装置の制御方法は、被試験装置に接続され、前記被試験装置の試験を行う試験装置の制御方法であって、前記被試験装置を識別するための識別情報を取得する取得ステップ（Ｓ８）と、前記被試験装置に対して複数の段階を有する試験を行う試験ステップ（Ｓ５）と、前記試験が中断するときに、前記複数の段階のうち前記中断以降の段階を実行するための中断情報、及び前記取得ステップが取得した識別情報を記録する中断記録ステップ（Ｓ８）とを備えることを特徴とする。
請求項７記載の制御方法は、請求項６記載の制御方法において、前記中断記録ステップは、暗号化された情報を前記試験装置と前記被試験装置に夫々記録することを特徴とする。
請求項８記載の制御方法は、請求項６又は７記載の制御方法において、前記中断した試験の再開を行うときに、前記被試験装置の識別情報を取得する第２取得ステップと、前記中断記録ステップにより記録されている識別情報と、前記第２取得ステップにより取得された識別情報とが一致するかを判別する判別ステップと、前記中断記録ステップにより記録されている識別情報と、前記第２取得ステップにより取得された識別情報とが一致したときに、前記中断情報に基づいて試験を再開する再開ステップとを備えることを特徴とする。
請求項９記載の制御方法は、請求項７記載の制御方法において、前記試験装置に記録された前記暗号化された情報と、前記被試験装置に記録された前記暗号化された情報とに基づいて、前記中断した試験の再開の可否を判別する第２判別ステップを備えることを特徴とする。
請求項１０記載の制御方法は、請求項６乃至９のいずれか１項に記載の制御方法において、前記複数の段階の１つにおける試験が終了したときに、当該試験の結果を記録する結果記録ステップを備えることを特徴とする。
上述の目的を達成するために、請求項１１記載のプログラムは、被試験装置に接続され、前記被試験装置の試験を行う制御方法をコンピュータに実行させるプログラムであって、前記被試験装置を識別するための識別情報を取得する取得モジュールと、前記被試験装置に対して複数の段階を有する試験を行う試験モジュールと、前記試験が中断するときに、前記複数の段階のうち前記中断以降の段階を実行するための中断情報及び前記取得モジュールが取得した識別情報を記録する中断記録モジュールとを備えることを特徴とする。
上述の目的を達成するために、請求項１２記載のコンピュータ読取り可能な記憶媒体は、請求項１１記載のプログラムを格納することを特徴とする。
【手続補正６】
【補正対象書類名】明細書
【補正対象項目名】００５６
【補正方法】削除
【補正の内容】
【手続補正７】
【補正対象書類名】明細書
【補正対象項目名】００５７
【補正方法】削除
【補正の内容】
【手続補正８】
【補正対象書類名】明細書
【補正対象項目名】００５８
【補正方法】削除
【補正の内容】
【手続補正９】
【補正対象書類名】明細書
【補正対象項目名】００５９
【補正方法】削除
【補正の内容】
【手続補正１０】
【補正対象書類名】明細書
【補正対象項目名】００６０
【補正方法】削除
【補正の内容】
【手続補正１１】
【補正対象書類名】明細書
【補正対象項目名】００６１
【補正方法】削除
【補正の内容】
【手続補正１２】
【補正対象書類名】明細書
【補正対象項目名】００６２
【補正方法】削除
【補正の内容】
【手続補正１３】
【補正対象書類名】明細書
【補正対象項目名】００６３
【補正方法】削除
【補正の内容】
【手続補正１４】
【補正対象書類名】明細書
【補正対象項目名】００６４
【補正方法】削除
【補正の内容】
【手続補正１５】
【補正対象書類名】明細書
【補正対象項目名】００６５
【補正方法】削除
【補正の内容】
【手続補正１６】
【補正対象書類名】明細書
【補正対象項目名】００６６
【補正方法】削除
【補正の内容】
【手続補正１７】
【補正対象書類名】明細書
【補正対象項目名】００６７
【補正方法】削除
【補正の内容】
【手続補正１８】
【補正対象書類名】明細書
【補正対象項目名】００６８
【補正方法】削除
【補正の内容】
【手続補正１９】
【補正対象書類名】明細書
【補正対象項目名】００６９
【補正方法】削除
【補正の内容】
【手続補正２０】
【補正対象書類名】明細書
【補正対象項目名】００７０
【補正方法】変更
【補正の内容】
【００７０】
【発明の効果】
以上詳細に説明したように、請求項１記載の試験装置によれば、試験が中断するときに、被試験装置を識別するための識別情報、及び前記複数の段階のうち前記中断以降の段階を実行するための中断情報を記録するので、試験を途中で停止した後、停止時の状態から試験を再開する際、被試験装置が試験を途中で停止したときのものであるか否かを判断することができる。
請求項３記載の試験装置によれば、試験を途中で停止した後、停止時の状態から試験を再開する際、被試験装置が試験を途中で停止したときのものであるか否かを確実に判断することができる。